(57)【要約】【課題】            輸送用コンテナーを災害発生時の居住空間として使用できるようにするための構造に関する。【解決手段】        コンテナー１の正面に設けた観音開きの開閉扉２の片側は開閉可能とし、他側は開け放して開口３を形成する。ひとつのベース４の片側に空気調和機の室内側装置５を、他側に室外側装置６を配置して一体形の空気調和ユニット７を構成する。空気調和ユニット７は室外側装置６が開口３から外を向くようにコンテナー１内に配置され、室内側装置５と室外側装置６との間に配置した仕切パネル８と、仕切パネル８とコンテナー１の上壁との間に配置した上パネル９と、仕切パネル８と上パネル９のコンテナー１の内部側の端と、開閉する片側の開閉扉２ａの端との間に配置した壁パネル１０とによって、コンテナー１の開口３が塞がれている。上パネル９もしくは壁パネル１０には換気扇１１とコンテナー１内で使用する電気のための配電盤１２とが取り付けられている。【選択図】          図１
2005350987.tif 000002
【特許請求の範囲】
【請求項１】
側面が長方形をなし正面が観音開きの開閉扉で構成される輸送用コンテナーを用い、この開閉扉の片側は開閉可能とし、他側は開け放して開口を形成すると共に、
ひとつのベースの片側に空気調和機の室内側装置を配置し、このベースの他側に空気調和機の室外側装置を配置して、一体形の空気調和ユニットを構成し、
該室内側装置と室外側装置との間に設置された仕切パネルの下部と片方の側部とをコンテナーの壁面にのぞませながら室外側装置がコンテナーの開口から外側を向くように前記空気調和ユニットをコンテナーの中に配置し、
前記仕切パネルとコンテナーの上壁との間の空間を塞ぎながら片側がコンテナーの側面にのぞませて設置する上パネルを設け、
かつ、開閉する片側の開閉扉の端と、仕切パネルと上パネルのコンテナーの内部側の端とを閉ざす壁パネルを設け、
前記上パネルもしくは壁パネルには換気扇とコンテナーで使用する電気のための配電盤とが取り付けられていることを特徴とするコンテナーを居住可能空間とするための付属構造。
【請求項２】
前記換気扇のコンテナーの内部側にはコンテナーの奥部に届くダクトを備えたことを特徴とする請求項１に記載のコンテナーを居住可能空間とするための付属構造。
【請求項３】
開閉する片側の前記開閉扉の端とコンテナー内に設置した壁パネルとの間には、コンテナーの内部から操作できるロック機構を取り付け、前記開閉扉はコンテナーの内部からロックできることを特徴とする請求項１に記載のコンテナーを居住可能空間とするための付属構造。
【請求項４】
前記壁パネルには開閉扉の外部施錠時に使用する非常扉が設けられている請求項３に記載のコンテナーを居住可能空間とするための付属構造。
【請求項５】
前記仕切パネル・上パネルと壁パネルとの接続部はコンテナーの床と天井との間に届く接続柱を備え、該接続柱には仕切パネル・上パネル・壁パネルの端と嵌合する溝を形成し、
該接続柱は仕切パネル・上パネルをコンテナーの内壁に、壁パネルを開閉扉にのぞませて、コンテナーの床と天井との間に固定する請求項１に記載のコンテナーを居住可能空間とするための付属構造。
【発明の詳細な説明】
【技術分野】
【０００１】
この発明は災害発生時などにおいて、直ちに現場に持ち込んで居住の可能な仮設空間を作り出すための構造に関するものである。
【背景技術】
【０００２】
災害発生時などではテント装置などによって仮設の住空間を作り出して、指揮系統を取り纏める場所や非難場所の確保を行っている。しかしながら、あらかじめ多くの仮設可能なテントやその付属設備を万一に備えて保管しておくためには、膨大な設備費用と保管のためのスペースが必要である。特に、居住空間を作り出すためのテントは他の利用法がなく、また、災害の規模に応じて必要とする数がまちまちであるから、大量の保管は無駄と考える人の意見がブレーキとなって、大災害の時には不足がちであった。
【０００３】
この発明は物の搬送のために世界中で使われている規格品の輸送用のコンテナーを、災害発生時の居住空間として使用できるようにする付属構造を提案するものである。災害発生時には、復旧に必要とする物品を搬入するために多くのコンテナーが使われており、この現地に送られたコンテナーをそのまま住居用に振り向けることで不足する仮設テントを補うことができる。
【０００４】
【特許文献１】特開２００３−１３９３８３号公報
【発明の開示】
【発明が解決しようとする課題】
【０００５】
この目的のためにコンテナーの中に人が入って確かめたところ、この種のコンテナーは金属製であるから、内部に人が居住するには空気調和機能が不可欠であり、そのためには先に出願人が特許文献１で開示するような仮設設備のための空気調和機を設置する必要性が認められた。しかし、コンテナーは仮設の居住に使用するからといって、この目的が終われば再び本来の使用目的である輸送用のコンテナーとして使われるものであるから、コンテナー本体を改造することができず、付属のアタッチメントのレベルで空気調和機能を備えた居住空間として利用するための付属構造の要求が生まれた。
【課題を解決するための手段及び効果】
【０００６】
この発明は上記課題を解決するもので、側面が長方形をなし正面が観音開きの開閉扉で構成される輸送用コンテナーを用い、この開閉扉の片側は開閉可能とし、他側は開け放して開口を形成すると共に、ひとつのベースの片側に空気調和機の室内側装置を配置し、このベースの他側に空気調和機の室外側装置を配置して、一体形の空気調和ユニットを構成し、該室内側装置と室外側装置との間に設置された仕切パネルの下部と片方の側部とをコンテナーの壁面にのぞませながら室外側装置がコンテナーの開口から外側を向くように前記空気調和ユニットをコンテナーの中に配置し、前記仕切パネルとコンテナーの上壁との間の空間を塞ぎながら片側がコンテナーの側面にのぞませて設置する上パネルを設け、かつ、開閉する片側の開閉扉の端と、仕切パネルと上パネルのコンテナーの内部側の端とを閉ざす壁パネルを設け、前記上パネルもしくは壁パネルには換気扇とコンテナーで使用する電気のための配電盤とが取り付けられていることを特徴とする。
【０００７】
この発明によって居住空間として利用することができる輸送用コンテナーは、災害時などの補給物資を配送するコンテナーをそのまま使うことができ、また、災害時の居住空間を作り出すために特に配送されたコンテナーである。そして、これらの補給物資と一緒に、または、別途専用配送で送られた本願発明となるコンテナーを居住可能空間とするための付属構造を、輸送用コンテナーの中に組み上げることによって、人が住居する空間として利用できるようになる。
【０００８】
即ち、輸送用コンテナーを居住空間とするために必要とする空気調和装置は、例えばセパレートタイプのエアコンであれば室外機と室内機を現場で組み上げることも可能であるが、災害時などではそのための人材も時間もなく、大変面倒な作業となる。この発明では、ひとつのベースの片側に空気調和機の室内側装置を配置し、他側のベースに空気調和機の室外側装置をあらかじめ配置して空気調和ユニットを構成しており、電源を供給すればすぐに空気調和機として使用できるようになっている。
【０００９】
この空気調和ユニットの室内側装置と室外側装置の間には、空気調和ユニットの横幅寸法よりも大きな仕切パネルが配置されており、空気調和ユニットは開閉扉が開け放されて形成した開口側のコンテナーの内部に、室外側装置がコンテナーの開口を向くように配置され、この時仕切パネルの下部がコンテナーの床面に届き、片側の側部がコンテナーの壁面に届いている。
【００１０】
一方、この仕切パネルの上方でコンテナーの上壁との間の空間は上パネルによって塞がれており、また、開閉扉が閉ざされた時の端と、上パネル及び空気調和ユニットの仕切パネルの端とは壁パネルで塞がれる構造である。そして、前記上パネルや壁パネルには換気扇を取り付けて、コンテナーの内部空間の空気の入換えができるようになっている。
【００１１】
このように、輸送用コンテナーにはほとんど改造部分を設けることなく、パネルに比べて重量がある空気調和ユニットが自重で固定しており、その他の各パネル同士の接続部を固定するだけで、コンテナーの中に居住空間を構成することができた。このため、災害時などで不足する避難者が落ち着く非難場所の確保が速やかにできるようになり、また、このように災害時に補給すべき物を搬送するコンテナーが、そのまま避難者の居住空間に流用できるから、普段から仮設のテント装置を多量に確保しておく必要がなくなるという効果を得ることができるようになった。
【００１２】
また、前記換気扇のコンテナーの内部側には、コンテナーの奥部に届くダクトが備え付けられており、横長で奥行きの大きなコンテナーの奥部の空気は、上パネルや壁パネルに換気扇を取り付けただけでは淀みがちであったが、ダクトの働きでコンテナーの奥部の空気は換気扇を駆動すると吸い出され、また、換気扇によってコンテナーの奥部に新鮮な空気を送り込むことができるようになった。このため、本来なら人の居住には不向きなコンテナーの内部空間を快適な住空間に変えることができる効果が生まれた。
【００１３】
また、開閉する片側の前記開閉扉の端とコンテナー内に設置した壁パネルとの間には、コンテナーの内部から操作できるロック機構を取り付け、前記開閉扉はコンテナーの内部からロックできるようになった。本来輸送用のコンテナーは内部に荷物を収納して開閉扉を閉ざし、外から施錠する構造であり、コンテナーの中からは開けることができない。この発明ではコンテナー内に設置した壁パネルと閉ざされた開閉扉との間に、コンテナーの内部から操作できるロック機構を取り付けて、内部から開閉扉を閉ざした状態に保持できるようになったから、コンテナーの開閉扉をコンテナーの居住空間の扉として流用が可能となり、取り扱いやすくなった。
【００１４】
また、壁パネルと開閉扉とのあいだにロック機構を取り付けて開閉扉を居住空間の扉として流用している時でも、コンテナーは開閉扉の外側にこの扉を外部から施錠する構造がついているから、誰かがこの開閉扉を施錠してしまう時が起こり得る。この防止策として壁パネルを大きくして専用の扉を設ける提案があるが、人の出入りするためには空気調和ユニットをコンテナーの奥に設置しなければならず、コンテナーの使用可能な内部空間が狭くなってしまう。
【００１５】
この発明は通常の人が出入りする扉ではなく、前記開閉扉の外部施錠時に使用する非常扉を前記壁パネルに設けたことを特徴とするもので、非常扉であれば人が脱出に使用するだけであるから、小さな扉でよく、また図に示す実施例のように空気調和ユニットの上方に出ることができる扉で実施できる。このため、空気調和ユニットはできるだけコンテナーの開口近くに配置できるようになり、コンテナーの内部空間を広くすることができる効果が得られた。
【００１６】
更に、前記仕切パネル・上パネルと壁パネルとの接続部はコンテナーの床と天井との間に届く接続柱を備え、該接続柱には仕切パネル・上パネル・壁パネルの端と嵌合する溝を形成し、該接続柱は仕切パネル・上パネルをコンテナーの内壁に、壁パネルを開閉扉にのぞませてコンテナーの床と天井との間に固定する構成を成している。このため、実際に本願装置を設置する輸送用のコンテナーの細部寸法が、規格品とはいえ製造メーカによって異なっていても、各パネルと接続柱はコンテナーにあわせて最適位置に固定できるようになり、優れた汎用性能を備えると共に、被災地などの現場での施工を簡単に行うことができるようになった。
【発明を実施するための最良の形態】
【００１７】
実施例を示す図によってこの構成を説明すると、図１において、１は本願発明となる付属構造によって居住可能空間とする輸送用のコンテナー、２は長方形をなした側面とは別にほぼ正方形を成した正面に設けた観音開きの開閉扉、２ｃは開閉扉２とコンテナー１の側壁との間に取り付けた蝶番、２ｄは閉ざされた開閉扉２を閉状態に保持する施錠構造であり、施錠構造２ｄはレバーを操作することでレバーの上下端がコンテナー１の床部と天板に固定され、開閉扉２を閉位置に固定する働きがある。
【００１８】
２ａはコンテナーを居住空間として使用するときに出入り口の扉となる片側の開閉扉、２ｂはコンテナーを居住空間として使用するときに開け放す他側の開閉扉、３は開け放された他側の開閉扉２ｂによって形成された開口である。この他側の開閉扉２ｂは地面に打ち込んだ杭などによって開放状態を保持したり、また、ある種のコンテナーのように着脱機能付きの蝶番２ｃを使っている時には、他側の開閉扉２ｂを取り外して開放状態を作り出しても良い。
【００１９】
図２及び図３において、７は一体形に構成した暖房専用機やエアコンによる空気調和ユニット、４は金属製の枠で構成したベース、５はこのベース４の片側に設置した空気調和機の室内側装置、６はこのベース４の他側に配置した空気調和機の室外側装置であり、ベース４によって一体化された室内側装置５と室外側装置６によって前記空気調和ユニット７を構成している。実施例の空気調和ユニット７は冷暖房機能のある分離型のエアコンであり、４ａはベース４から立ち上げた室内側装置５を固定するための取付枠、７ａは室内側装置５と室外側装置６を連絡する冷媒配管、７ｂは室内側装置５と室外側装置６を連絡する電気配線、７ｃは室内側装置５で空気中の水蒸気が液化して発生したドレン水の排水管である。この空気調和ユニット７は室外側装置６が前記コンテナー１の開口３から外を向くように配置され、空気調和ユニット７に通電して起動状態になれば、直ちに室内側装置５から空気調和された冷風または温風がコンテナー１の内部に向けて吹出し、室外側装置６から処理空気が開口３を経て外部に排出される。
【００２０】
４ｂは空気調和ユニット７の室内側装置５と室外側装置６の間のベース４から立ち上げた固定枠、８はこの固定枠４ｂに沿って空気調和ユニット７の室内側装置５と室外側装置６の間に設置した仕切パネル、８ａは仕切パネル８を固定枠４ｂに取り付ける取付ねじ、９は仕切パネル８の上端とコンテナー１の上壁との間に設置した上パネルである。
【００２１】
８ｂは仕切パネル８の上端に設けた上パネル９との間の接続部、１７は仕切パネル８及び上パネル９とコンテナー１の対応する壁面との間に介在させた弾性保持材であり、かなりの重量のある空気調和ユニット７がコンテナー１内に配置された状態で、仕切パネル８の下端と一方の側端は前記弾性保持材１７を介してコンテナー１の内壁と密着している。また、上パネル９も一方の側端と上端が弾性保持材１７を介して、コンテナー１の内壁と密着している。
【００２２】
この仕切パネル８と上パネル９の固定方法は図５に示しており、両パネル８・９の上下端に弾性保持材１７を介在させながら、仕切パネル８の端の接続部８ｂに上パネル９の端を当接し、傾向いた状態の仕切パネル８を固定枠４ｂに押し付けて沿わせると、前記弾性保持材１７は変形しながら両パネル８・９とコンテナー１の内壁との間を塞ぐから、もし使用するコンテナー１の細部寸法が製造メーカによって多少違っていても、確実に仕切パネル８と上パネル９を設置することができ、この設置位置は仕切パネル８を取付ねじ８ａを使って固定枠４ｂに締め付ければ強く固定することができる。なお、実施例の接続部８ｂは仕切パネル８の端に設けているが、上パネル９の端に設けても全く同様に実施することができる。
【００２３】
図５及び図６に示すように前記空気調和ユニット７の室内側装置５と室外側装置６とを設置したベース４はコンテナー１の床面から離して設置されており、４ｃはこの間隔を作り出すために金属製の枠で構成したベース４に取り付けた脚、８ｃはベース４とコンテナー１の床面との間に配置した補助仕切パネルである。実施例の仕切パネル８はベース４の上面と側面に接触しながらその両側がコンテナー１の床面にのぞませてあり、一方、補助仕切パネル８ｃはベース４の下面に接触しながらその両側をねじなどで仕切パネル８に固定されている。また、補助仕切パネル８ｃの上部はベース４と一緒に冷媒配管７ａや電気配線７ｂや排水管７ｃの設置スペースを有しながら仕切パネル８に重ね合わせている。そして、固定後において仕切パネル８や補助仕切パネル８ｃとこれらの配管類との間の隙間はパテによって封鎖している。
【００２４】
図２及び図３において、１０は仕切パネル８及び上パネル９のコンテナー１の内部側の端と、開閉する片側の開閉扉２ａの端との間の空間を閉ざす壁パネル、１６は仕切パネル８及び上パネル９と壁パネル１０との接続部に配置した接続柱、１８は壁パネル１０と開閉する片側の開閉扉２ａの端との間に配置した扉支柱である。このため、コンテナー１の前記開口３は空気調和ユニット７の室外側装置６を配置した状態で、仕切パネル８と上パネル９と壁パネル１０によって塞がれると共に、片側の開閉扉２ａを開閉することによって出入口が構成され、コンテナー１の内部空間を人が居住可能な空間とすることができた。
【００２５】
図２において、１１は上パネル９に設置した室内空気のための換気扇、１２は上パネル９に取り付けたコンテナー１で使用する電力のための配電盤であり、この配電盤１２もしくはその周辺には空気調和ユニット７や換気扇１１へ電力を供給するためのコンセントが取り付けられ、外部から配電盤１２に電力を供給することによって空気調和ユニット７や換気扇１１が使用可能になる。また、配電盤１２からはコンテナー１の内部で使用する電気製品のためのコンセントへも給電され、居住空間となったコンテナー１の内部で電気製品が使用可能になる。なお、図２では換気扇１１や配電盤１２が上パネル９に取り付けてあるが、仕切パネル８の形状が大きな時にはこの仕切パネル８に取り付けたり、その他壁パネル１０に取り付けることができる。
【００２６】
１３はコンテナー１の内側の換気扇１１の端と、コンテナー１の奥部を連絡するダクトであり、換気扇１１を運転するとこの換気扇１１で送られた外の空気はダクト１３を経てコンテナー１の奥部に届き、また、ダクト１３によってコンテナー１の奥部の空気が吸い出されて外に排気されるから、輸送用のコンテナー１の奥部にも新鮮な空気が満たされるようになり、快適な居住空間を作り出すことができた。
【００２７】
図３において、１９は開閉扉２ａの開閉端に嵌め込むコ字状枠、１９ａは開閉扉２ａの開閉端に嵌め込まれたコ字状枠１９をコンテナー１の内側から固定する固定ねじ、１９ｂはコンテナー１の内側のコ字状枠１９に取り付けた把手であり、コンテナー１の内側から把手１９ｂを使って開閉扉２の開閉ができる。１９ｃはコンテナー１の内側のコ字状枠１９に取り付けた係止片、１４は係止片１９ｃと壁パネル１０との間に設置してコンテナー１の内部から操作できるクランプを使ったロック機構であり、把手１９ｂを使って開閉扉２を閉ざした状態で、ロック機構１４は開閉扉２の閉位置を固定することができ、コンテナー１の内部を居住空間として利用する人のプライバシーが守られる。
【００２８】
ところで輸送用のコンテナー１の開閉扉２は外部からロックする施錠構造２ｄが必ず取り付けられ、コンテナー１の内部を人が居住空間として使用している間に外部から施錠される恐れがあり、コンテナー１の開閉扉２を出入口として使用するときに施錠されるとコンテナー１の内部の人が自力で脱出することができなくなる。このため、換気扇１１や配電盤１２を取り付けていない例えば壁パネル１０に出入口を設けたり、壁パネル１０を石膏ボードなどのような壊れやすい材質で構成して、非常時にはこの石膏ボードを破壊して脱出することも考えられるが、この破壊した部分を修復しなければ再度コンテナー１を快適な居住空間として利用できなくなる。
【００２９】
この発明はこのような問題点を改善するもので、１５は空気調和ユニット７の上方に対応した壁パネル１０に設けた非常扉であり、前記壁パネル１０の部分に出入口の扉を構成する時のように、人が出入りできる広い空間を確保するために空気調和ユニット７の室外側装置６の位置をコンテナー１の奥に配置して、折角の居住空間を狭くしてしまうといった問題点がなくなり、この仕切パネル８の位置を開口３に近づけることができた。そして、空気調和ユニット７の上部空間を利用するなどして人が脱出できれば、開閉扉２ａの外側の施錠構造２ｄを開放することができ、前記非常用扉１５は閉ざされて再び元のように使用できるようになった。尚、空気調和ユニット７の大きさが小さく、この空気調和ユニット７と壁パネル１０の間に人が移動できる空間が確保できる時には、非常扉１５はコンテナー１の床面近くから上方に向けて構成でき、コンテナー１の中に閉じ込められた人は脱出しやすくなる。
【００３０】
一方、前記扉支柱１８を介して開閉扉２ａにのぞませた壁パネル１０のコンテナー１の内部側の端と、前記仕切パネル８や上パネル９のコンテナー１の内部側の端とを接続する接続柱１６の位置は、コンテナー１の開口３の寸法誤差によって変動する時がある。１６ａは仕切パネル８・上パネル９・壁パネル１０の端を前記接続柱１６に組み込むための溝であり、この溝１６ａに仕切パネル８と上パネル９と壁パネル１０の端を嵌合させた状態で、仕切パネル８と上パネル９をコンテナー１の内壁面に押し付け、開閉扉２ａの端に壁パネル１０を押し付けた位置に接続柱１６を固定すれば、仕切パネル８・上パネル９と壁パネル１０との交差角度が９０度を維持しなくとも、開口３とコンテナー１の内部空間との間を確実に塞ぐことができた。
【００３１】
図４に示す接続柱１６の実施例において、１６ｂは上下に分割した接続柱１６の間に内装した押上ばね、１６ｃは接続柱１６の分割部分の外側に配置したばねカバー、１６ｄはばねカバー１６ｃを片方の接続柱１６に固定するねじであり、分割した上部の接続柱１６を押し下げながら接続柱１６の設置位置を定め、この位置で上部の接続柱１６を離すと押上ばね１６ｂの力で上部の接続柱１６はコンテナー１の上板と床板の間に固定することができる。１６ｅは前記ばねカバー１６ｃの移動寸法を規制する案内溝、１６ｆは案内溝１６ｅに嵌合した係止ねじであり、係止ねじ１６ｆが案内溝１６ｅ内を移動する範囲が接続柱１６の伸縮範囲となっている。
【００３２】
なお、図４に記載する同じ機構を前記扉支柱１８にも採用することができ、このような伸縮構造とすることによって、コンテナー１の高さ寸法に誤差が生じても、接続柱１６や扉支柱１８は特別な固定構造を輸送用コンテナーに取り付けなくとも自身の弾性力で確実に固定できるようになった。このため、各パネル８・９・１０も確実にコンテナー１の中に装着でき、被災地などに援助物質を送り出す輸送用のコンテナー１が、現地ではその内部空間を人が居住する空間としてはじめて活用できるようになった。
【図面の簡単な説明】
【００３３】
【図１】この発明の付属構造を装着した輸送用コンテナーの斜視図である。
【図２】この発明の付属構造を装着したコンテナーの要部断面図である。
【図３】この発明の付属構造を装着した状態の要部平断面図である。
【図４】使用する部品の要部断面図である。
【図５】この発明の付属構造の取り付け状態の説明図である。
【図６】使用する部品の取り付け状態を示す説明図である。
【符号の説明】
【００３４】
１    コンテナー
２    開閉扉
２ａ  開閉扉
３    開口
４    ベース
５    室内側装置
６    室外側装置
７    空気調和ユニット
８    仕切パネル
９    上パネル
１０    壁パネル
１１    換気扇
１２    配電盤
１３    ダクト
１４    ロック機構
１５    非常扉
１６    接続柱
１６ａ  溝
【図１】
2005350987.tif 000003
【図２】
2005350987.tif 000004
【図３】
2005350987.tif 000005
【図４】
2005350987.tif 000006
【図５】
2005350987.tif 000007
【図６】
2005350987.tif 000008